(57)【要約】【課題】  壁紙を粉砕し、鉄片等の異物が混入していないリサイクルに適した細かいフレークを得るようにする。【解決手段】  壁紙を粗粉砕する第1の粉砕機１と、粗粉砕された壁紙のフレークに混入している鉄片を取り除く磁選機３と、鉄片を取り除かれたフレークを細粉砕する第２の粉砕機４と、第1の粉砕機１の排出口と第２の粉砕機４の投入口との間を磁選機３を介して連結する筒状の連結部９と、第１の粉砕機１により粗粉砕された壁紙のフレークを連結部９を介して第２の粉砕機４に送る風力を発生する送風機６とを備え、粗粉砕した壁紙のフレークに対して鉄片の吸着を行うことにより、鉄片が小さくなり過ぎず除去し易くなるようにすると共に、第１の粉砕機１にて生じる摩擦熱と送風機６の風力とによってフレークを乾燥させ、フレークから鉄片が離れ易くなるようにする。【選択図】        図１
2005211888.tif 000002
【特許請求の範囲】
【請求項１】
壁紙を粗粉砕する第1の粉砕機と、
前記第１の粉砕機で粗粉砕された壁紙のフレークに混入している鉄片を磁力により吸着して取り除く磁選機と、
前記磁選機により鉄片を取り除かれた壁紙のフレークを細粉砕する第２の粉砕機と、
前記第1の粉砕機と前記第２の粉砕機との間を前記磁選機を介して連結する筒状の連結部と、
前記第１の粉砕機により粗粉砕された壁紙のフレークを前記連結部を介して前記第２の粉砕機に送る風力を発生する送風機と、
を備える壁紙用粉砕システム。
【請求項２】
前記第２の粉砕機により細粉砕された壁紙のフレークに混入している鉄片を磁力により吸着して取り除く磁選機を備える請求項１に記載の壁紙用粉砕システム。
【請求項３】
前記磁選機は、粉砕された壁紙のフレークが通過する筐体と、前記フレークが進行する方向に対して垂直な面上に前記筐体内に複数列配置された複数の棒状のマグネットと、前記棒状のマグネットの外周を覆う非磁性体の筒体とを備え、
ｎ列（ｎは２以上の整数）目に配置された複数の棒状のマグネットは、前記フレークが進行する方向から見てｎ−１列目に配置された複数の棒状のマグネットの隙間に配置することを特徴とする請求項１又は請求項２に記載の壁紙用粉砕システム。
【請求項４】
気流により発生する遠心力によって、前記第２の粉砕機により細粉砕された壁紙のフレークが押し当てられる内壁面を有し、重力によって前記内壁面沿いに前記フレークを落下させるサイクロンと、
前記第２の粉砕機と前記サイクロンとを連結する筒状の第２の連結部と、
前記フレークを前記第２の連結部を介して前記サイクロンに送る風力を発生すると共に、前記気流を発生させる吸引機と、
を備える請求項１乃至請求項３の何れか一項に記載の壁紙用粉砕システム。
【発明の詳細な説明】
【技術分野】
【０００１】
本発明は、使用済みの壁紙を細かく粉砕するための壁紙用粉砕システムに関し、例えば、裏打ち紙と塩化ビニルとの複合材料から成る塩ビ紙製を粉砕するのに好適なものである。
【背景技術】
【０００２】
従来、住宅等の壁面に張り付けられる壁紙としては、塩化ビニル製のものが広く用いられていた。このような塩化ビニル製の壁紙は図６に示すように、裏打ち紙と呼ばれる紙製の基材１０１上に塩化ビニル樹脂層１０３を形成していた。このような塩化ビニル製の壁紙に形成される裏打ち紙１０１は、一旦壁面に張り付けた壁紙を張り替え等のために剥がす際に、壁面を傷つけないために設けられている。すなわち、壁紙を剥がす際に裏打ち紙１０１が薄くめくれて剥がされるので、壁面を傷めることなく壁紙を剥がすことができるというものである。
【０００３】
ところで、前述した塩化ビニル製の壁紙を壁面より剥がして処分する場合、焼却処理を行うとダイオキシン及び大量の二酸化炭素を発生する。従って、不要となった塩化ビニル製の壁紙は、産業廃棄物としてゴミになるだけであった。そのため、環境問題が大きく叫ばれる中、塩化ビニル製の壁紙を焼却などの処理によって処分することなく、リサイクルに回すことが望まれている。
【０００４】
しかしながら、前述した塩化ビニル製の壁紙をリサイクルする場合、剥がした壁紙は塩化ビニル樹脂層１０３に裏打ち紙１０１の一部が張り付いた状態となっている。しかも、塩化ビニル樹脂層１０３は裏打ち紙１０１の紙繊維の中に染み込んでいるため、染みた塩化ビニル樹脂層１０３を裏打ち紙１０１から完全に分離させることは極めて困難である。また、これが可能であっても大きなコストがかかってしまうため、剥がした塩化ビニル製の壁紙をリサイクルに回すことは実用的ではなかった。
【０００５】
このような問題を解決する技術として、本出願人は、図７に示すように、塩化ビニルと紙製の基材の複合材料から成る塩ビ紙層１０２を基材である裏打ち紙１０１の上に形成する技術を発案した（特許文献１参照）。この特許文献１に記載の技術では、いままで塩化ビニル樹脂のみで形成されていた層を塩化ビニルと裏打ち紙に使用される基材との複合材料としたため、壁面より剥がした壁紙を再度壁紙としてリサイクルすることが可能となる。
【特許文献１】特願２００２−１０５３１７号
【０００６】
このような壁紙を実際にリサイクルする場合、粉砕機を使用して壁紙を細かく粉砕する必要がある。また、壁紙を粉砕して得られるフレークと呼ばれる粉砕片の大きさは、粉砕片の溶解を容易とするために所定の大きさよりも小さい必要がある。フレークを所定の大きさよりも小さくするために、粉砕機において、実際に粉砕が行われる粉砕部とフレークを収納するケーシング部との間に、所定の大きさの貫通孔を複数有するスクリーンを設ける技術がある（例えば、特許文献２）。この特許文献２に記載の技術によれば、スクリーンに設けた貫通孔の大きさより小さくなるまで粉砕部で粉砕が行われ、所定の大きさよりも小さくなったフレークのみが貫通孔を通過してケーシング部に収納される。
【特許文献２】特開平８−１８３０３２号公報
【０００７】
ところで、前述した塩ビ紙製の壁紙を壁面より剥がした後、すぐに新しい壁紙を壁面に貼り付けることが多い。壁紙を壁面に貼り付ける方法としては、カッター等の切断器具によって壁紙シートを適当な長さに切断し、それを図８に示すように横方向に並べて貼り付ける。このとき、隣り合う壁紙シート５１ａ，５１ｂを数ｃｍ重ね合わせて壁面に貼り付け、重なった部分の略中央（一点鎖線で示す）を切断する合断ちと呼ばれる方法により、繋ぎ目を隙間なく貼り付けることができる。
【０００８】
しかしながら、カッター等の切断器具は、壁紙シートを切断する際や合断ちの際に刃が欠けてしまうことがある。また、カッター等の切断器具の中には、切れ味が悪くなったときに刃の先端部分を折ることで切れ味を回復するものがある。そのため、作業者が欠けた刃や折られた刃によってけがをしないように、欠けた刃や折られた刃を剥がした壁紙に故意に混ぜて処分していた。
【０００９】
このような、刃が混ざったままの壁紙を粉砕機によって粉砕する場合、粉砕した壁紙のフレークに切断器具の刃を形成していた鉄片が混入してしまい、このフレークがリサイクルに適さなくなってしまうという問題があった。
【００１０】
そのため、フレークから鉄片を除去することが要求される。しかし、壁面から剥がした壁紙を粉砕機によって所定の大きさよりも小さいフレークに粉砕する場合、混入している鉄片も粉砕機によって粉砕されて小さくなってしまうので、鉄片が大量に混入した場合、除去し切れなくなってしまうという問題があった。また、壁紙に付着している糊等の水分により、粉砕した壁紙のフレークとフレークに混入している鉄片とが強固に結びついてしまい、鉄片の除去が困難になってしまうという問題があった。
【発明の開示】
【発明が解決しようとする課題】
【００１１】
本発明は、このような問題を解決するために成されたものであり、リサイクル用の壁紙を、鉄片等の異物が混入していないリサイクルに適した細かいフレークに粉砕することができる壁紙用粉砕システムを提供することを目的とする。
【課題を解決するための手段】
【００１２】
上述した課題を解決するために、本発明の壁紙用粉砕システムは、壁紙を粗粉砕する第1の粉砕機と、粗粉砕された壁紙のフレークを細粉砕する第２の粉砕機と、第1の粉砕機の排出口と第２の粉砕機の投入口との間を連結する筒状の連結部と、第１の粉砕機により粗粉砕された壁紙のフレークを連結部を介して第２の粉砕機に送るための風力を発生する送風機と、連結部の中間に設置され、粗粉砕された壁紙のフレークに混入している鉄片を吸着する磁選機とを備えるようにしている。
【００１３】
また、本発明の他の態様では、第２の粉砕機により細粉砕された壁紙のフレークに混入している鉄片を吸着する磁選機を更に備えるようにしている。
【００１４】
また、本発明の他の態様では、磁選機が、粉砕された壁紙のフレークが通過する筐体と、このフレークが進行する方向に対して垂直な面上に筐体内に複数列配置された複数の棒状のマグネットと、棒状のマグネットの外周を覆う非磁性体の筒体とを備え、ｎ列（ｎは２以上の整数）目に配置された複数の棒状のマグネットは、フレークが進行する方向から見て、ｎ−１列目に配置された複数の棒状のマグネットの隙間に配置するようにしている。
【００１５】
また、本発明の他の態様では、気流により発生する遠心力によって、第２の粉砕機により細粉砕された壁紙のフレークを内壁面に押し当て、このフレークを重力によって落下させるサイクロンと、第２の粉砕機とサイクロンとを連結する筒状の第２の連結部と、フレークを第２の連結部を介してサイクロンに送る風力を発生すると共に、サイクロンに気流を発生させる吸引機とを備えるようにしている。
【発明の効果】
【００１６】
上記のように構成した本発明によれば、第１の粉砕機と第２の粉砕機とによって壁紙を小さいフレークに粉砕することができる。また、第１の粉砕機により粗粉砕した壁紙のフレークに対して磁選機による鉄片の吸着を行うので、吸着すべき鉄片が小さくなり過ぎることがなくなる。また、壁紙が糊等により湿っている場合に、第１の粉砕機によって壁紙を粗粉砕する際に生じる摩擦熱と、粉砕された壁紙のフレークを運搬するための風力とによってフレークを乾燥させることができるので、フレークと鉄片とが分離し易くなる。これにより、混入した鉄片を効率良く除去することができる。
【００１７】
また、本発明の他の特徴によれば、第２の粉砕機により細粉砕した壁紙のフレークに対して磁選機による鉄片の吸着を行うので、粗粉砕した壁紙のフレークから除去し切れなかった鉄片も除去することができる。ここで除去する鉄片は第２の粉砕機により細かく粉砕されているが、細粉砕される前に除去し切れなかった鉄片のみが除去の対象となるので、これらの殆どを除去することができる。その際、壁紙が糊等により湿っている場合に、第２の粉砕機によって壁紙のフレークを細粉砕する際に生じる摩擦熱によりフレークを更に乾燥させることができるので、フレークと鉄片とが分離し易くなる。これにより、壁紙に鉄片が大量に混入した場合でも、二段階の磁選機により、混入した鉄片の殆どを除去することができる。従って、異物の混入していないリサイクルに適した細かいフレークを得ることができる。
【００１８】
また、本発明の他の特徴によれば、磁選機内のフレークの通り道に必ずマグネットが存在する状態とすることができるので、混入した鉄片を効率良く吸着することができる。更に、鉄片はマグネットに直に吸着されず、非磁性体の筒体に吸着されるので、吸着された鉄片を除去し易くなる。従って、磁選機の手入れを容易に行うことができる。
【００１９】
また、本発明の他の特徴によれば、吸引機の風力によりフレークを更に乾燥させ易くできるので、フレークと鉄片とを分離し易くなる。従って、混入した鉄片を磁選機により効率良く吸着することができる。
【発明を実施するための最良の形態】
【００２０】
以下、本発明の一実施形態を図面に基づいて説明する。図１は、本実施形態による壁紙用粉砕システムの構成例を示すブロック図である。図１において、１は第１の粉砕機であり、投入した壁紙を固定刃及び回転刃の剪断作用により粗粉砕してフレークを排出する。２は送風機であり、粗粉砕された壁紙のフレークに風力を加えることにより、フレークを後段へ運搬する。３は磁選機であり、フレークに混入している鉄片を磁力により吸着して除去する。４は第２の粉砕機であり、粗粉砕された壁紙のフレークを固定刃及び回転刃の剪断作用により細粉砕してフレークを排出する。
【００２１】
５はサイクロンであり、内部に気流を発生して、第２の粉砕機４によって細粉砕された壁紙のフレークを遠心力によって内壁面に押し当てながら、重力によって壁面沿いにさせる。５Ａはサイクロン５の下方に設けられたロータリーバルブであり、水車のように回転することで、サイクロン５の下方（ロータリーバルブ５Ａの上方）に溜まったフレークを排出する。
【００２２】
６は吸引機であり、第２の粉砕機４によって細粉砕された壁紙のフレークに風力を加えることにより、フレークをサイクロン５に運搬すると共に、空気の吸引によりサイクロン５内に気流を発生させる。７は集塵部であり、ロータリーバルブ５Ａにより排出されたフレークを集める。８はフィルターであり、吸引機６の吸い込み口に設けられ、フレークの通過を阻止する網目を有する。これにより、サイクロン５の内壁面沿いに落下せずに吸引機６により吸引されたフレークを集める。９は上述した各構成要素を連結する筒状の連結部であり、スパイラルダクトや耐磨耗性ホースが使用される。なお、第２の粉砕機４とサイクロン５とを連結する連結部９は特許請求の範囲の第２の連結部に該当する。
【００２３】
図２は、本実施形態による壁紙粉砕システムに適用される第１の粉砕機１の概略構成例を示す断面図である。図２において、１１は回収した壁紙を投入するための投入口である。この投入口１１には、壁紙を投入し易くするため、上部に開口部が形成されている。１２は回転胴であり、外周面に３つの刃を設けた回転刃１２ａを一体的に取り付けている。回転胴１２の回転により回転刃１２ａも回転する。ここで、回転刃１２ａの回転軌跡は円筒状となっている。１３は固定刃であり、回転刃１２ａが回転することにより噛み合うように配置されている。そして、回転刃１２ａと２つの固定刃１３との間で剪断作用による粉砕を行う。１４は回転胴１２に連結されたベルト１５等の動力伝達手段により回転胴１２を回転させるモータである。
【００２４】
１６は所定の大きさの貫通孔を複数設けたスクリーンであり、回転刃１２ａが回転したときに、その回転の軌跡の一部において、回転刃１２ａの先端が接するように形成されている。そして、スクリーン１６には、同じ径を有する複数の貫通孔が形成されており、回転刃１２ａ及び固定刃１３により粉砕されたフレークの中から貫通孔を通過可能な大きさのフレークのみを通過させて下方に落下させる。ここで、第１の粉砕機１では、粗粉砕すべき壁紙のフレークの大きさが３ｃｍ程度であるから、スクリーン１６に形成された貫通孔は３ｃｍ程度の径を有している。１７は、スクリーン１６を通過したフレークを排出する排出口である。
【００２５】
次に、第１の粉砕機１の動作を説明する。壁面から剥がされた塩ビ紙製の壁紙は裏打ち紙を除去することなく投入口１１に投入される。投入された壁紙は回転刃１２ａと固定刃１３との剪断作用により粉砕される。このとき、回転刃１２ａの回転軌跡の一部において、回転刃１２ａと接するように設けられたスクリーン１６は、回転刃１２ａ及び固定刃１３により粗粉砕された壁紙のフレークをふるいにかける。
【００２６】
スクリーン１６を通過したフレークは、重力により本体の内部を更に下方に設けた排出口１７へと落下する。そして、排出口１７には連結部９が取り付けられており、フレークは連結部９を通って後段に送られる。ここで、第１の粉砕機１にて壁紙を粗粉砕する際に、回転刃１２ａ、固定刃１３、フレークとの間で摩擦熱が発生している。
【００２７】
図３は、本実施形態による壁紙粉砕システムに適用される第２の粉砕機４の概略構成例を示す断面図である。図３において、４２は回転胴であり、外周面に３つの刃を設けた回転刃４２ａを一体的に取り付けている。回転胴１２の回転により回転刃１２ａも回転する。ここで、回転刃４２ａの回転軌跡は円筒状となっている。４３は固定刃であり、回転刃４２ａが回転することにより噛み合うように配置されている。そして、回転刃４２ａと２つの固定刃４３との間で剪断作用による粉砕を行う。４４は回転胴４２に連結されたベルト１５等の動力伝達手段により回転胴４２を回転させるモータである。
【００２８】
４５は所定の大きさの貫通孔を複数設けたスクリーンであり、回転刃４２ａが回転したときに、その回転の軌跡の一部において、回転刃４２ａの先端が接するように形成されている。そして、スクリーン４６には、同じ径を有する複数の貫通孔が形成されており、回転刃４２ａ及び固定刃４３により粉砕されたフレークの中から貫通孔を通過可能な大きさのフレークのみを通過させて下方に落下させる。ここで、第２の粉砕機４では、細粉砕すべきフレークの大きさが０．１〜０．５ｍｍ程度であるから、スクリーン４５に形成された貫通孔は０．５ｍｍ程度の径を有している。１７は、スクリーン１６を通過したフレークを排出する排出口である。
【００２９】
次に、第２の粉砕機４の動作を説明する。第１の粉砕機１で粗粉砕された壁紙のフレークは連結部９を介して第２の粉砕機４に投入される。投入された壁紙は回転刃４２ａと固定刃４３との剪断作用により粉砕される。このとき、回転刃４２ａの回転軌跡の一部において、回転刃４２ａと接するように設けられたスクリーン４５は、回転刃４２ａ及び固定刃４３により細粉砕された壁紙のフレークをふるいにかける。
【００３０】
スクリーン４５を通過したフレークは、重力により本体の内部を更に下方に設けた排出口１７へと落下する。そして、排出口１７には連結部９が取り付けられており、フレークは連結部９を通って後段に送られる。ここで、第２の粉砕機４にてフレークを細粉砕する際に、回転刃４２ａ、固定刃４３、フレークとの間で摩擦熱が発生している。
【００３１】
第２の粉砕機４では、フレークを細かく粉砕するので、壁紙を粗粉砕する第１の粉砕機１よりも強い粉砕力と、より速い粉砕速度とが必要になる。従って、第１の粉砕機１及び第２の粉砕機４には、それぞれに適した回転刃、固定刃、モータを使用する。
【００３２】
図４は、本実施形態による壁紙用粉砕システムに適用される磁選機３の構成例を示す図である。図４（ａ）は、磁選機３の平面図であり、図４（ｂ）は、図４（ａ）のＡ−Ａ´線断面図である。図４において、２０は筐体であり、内部を第１の粉砕機１又は第２の粉砕機４によって粉砕された壁紙のフレークが図中左右方向に通過可能である。
【００３３】
２１は棒状のマグネットであり、筐体２０内に複数設けられている。複数の棒状のマグネット２１は、フレークが進行する方向に対して垂直な面上に複数列に渡って配置されている。そして、ｎ列（ｎは２以上の整数）目に配置された複数の棒状のマグネット２１ｂは、フレークが進行する方向から見てｎ−１列目に配置された複数の棒状のマグネット２１ａの隙間に配置される。これにより、フレークに含まれる鉄片を高確率で吸着することができる。２２は棒状のマグネット２１を内部に挿入可能な非磁性体の筒体である。ここで、棒状のマグネット２１の磁力は、筒体２２を介して鉄片を吸着できる大きさであり、筒体２２の径は、筒体２２の外周に対して磁力を有効とする程度の大きさである。
【００３４】
２３は第１の蓋体であり、筐体２０側の面に棒状のマグネット２１が取り付けられており、他方の面に把持体２３ａが取り付けられている。２４は第２の蓋体であり、筐体２０と第１の蓋体２３との間に設けられており、筐体２０側の面に筒体２２が形成されている。この第２の蓋体２４の筒体２２が形成された部分には、棒状のマグネット２１を挿入できるように貫通孔が設けられている。
【００３５】
このような構成により、図５に示すように、把持体２３ａを上方へ引っ張り第１の蓋体２３を持ち上げることで、棒状のマグネット２１を筐体２０及び筒体２２から引き抜くことができる。また、第２の蓋体２４を直に持ち上げることで、筒体２２を筐体２０から引き出すことができる。筐体２０内に筒体２２が挿入されている状態で、且つ、棒状のマグネット２１が筒体２２内に挿入されているとき、筐体２０内を移動するフレークに混入している鉄片２５は、棒状のマグネット２１の磁力によって筒体２２に付着する。
【００３６】
このような磁選機３では、筒体２２に付着した鉄片２５をそのままにしておくと、筒体２２の表面に鉄片２５が付着し難くなるので、鉄片２５を定期的に回収する必要がある。その場合、まず、第２の蓋体２４を筐体２０から取り出す。この状態で把持体２３ａにより第１の蓋体２３を第２の蓋体２４から引き離すと、棒状のマグネット２１が筒体２２から引き出される。すると、筒体２２には磁力が無くなるので、鉄片２５は筒体２２から簡単に離れ、回収が容易となる。
【００３７】
次に、本実施形態による壁紙用粉砕システムの動作について説明する。まず、塩ビ紙製の壁紙を第１の粉砕機１の投入口１１に投入する。投入された壁紙は、回転刃１２ａ及び固定刃１３の剪断作用により粗粉砕される。粗粉砕された壁紙のフレークは、スクリーン１６を通過して排出口１７に落下する。
【００３８】
第１の粉砕機１の排出口１６から排出されたフレークは、送風機２の風力によって、連結部９内を後段に向かって送られる。第１の粉砕機１と第２の粉砕機４との間には磁選機３が二つ設けられており、これによりフレークに混入している鉄片２５の一部（主に粗いもの）が取り除かれる。
【００３９】
磁選機３によって、鉄片２５の一部が取り除かれたフレークは、送風機２の風力により第２の粉砕機４に自動的に投入される。投入されたフレークは、回転刃４２ａ及び固定刃４３の剪断作用により更に細かく粉砕される。ここで、第２の粉砕機４は、第１の粉砕機１よりも強い粉砕力と粉砕速度を有している。
【００４０】
細かく粉砕されたフレークは、第２の粉砕機４のスクリーン４５を通過して、排出口１７に落下する。第２の粉砕機４の排出口１７から排出されたフレークは、送風機２の風力及び吸引機６の吸引力によって、連結部９内を後段に向かって送られる。第２の粉砕機４の後段には、フレークから鉄片を取り除く磁選機３が三つ設けられており、これによりステップＳ３にて取り除き切れなかった細かい鉄片２５が取り除かれる。
【００４１】
細かい鉄片２５を取り除かれたフレークは、サイクロン５に送られる。サイクロン５の内部には、吸引機６により気流が発生している。この気流により、フレークは遠心力によって内壁面に押し当てられる。そして、サイクロン５の内壁面に押し当てられたフレークは、壁面沿いに下方に落下する。サイクロン５の下方には、ロータリーバルブ５Ａが設けられており、これによりサイクロン５の下方に溜まったフレークが集塵部７に排出される。
【００４２】
一方、吸引機６の吸い込み口に設けられたフィルター８は、フレークの通過を阻止する網目を有しており、サイクロン５の壁面沿いに落下せずに吸引機６により吸引されたフレークを集める。
【００４３】
以上詳しく説明したように、本実施形態の壁紙用粉砕システムでは、壁紙を粗粉砕する第１の粉砕機１と細粉砕する第２の粉砕機４とを別に設け、第１の粉砕機１と第２の粉砕機４との間に設けた磁選機３において、最初は粗粉砕した壁紙のフレークに対して鉄片の吸着を行うようにしたので、この段階で鉄片は粗粉砕されて小さくなり過ぎることがなくなる。しかも、本実施形態では、送風機２の風力によって第１の粉砕機１から磁選機３を介して第２の粉砕機４にフレークを運搬するようにしているので、壁紙が糊等の水分により湿っている場合でも、第１の粉砕機１によって壁紙を粗粉砕する際に生じる摩擦熱と、フレークを運搬するための風力とによりフレークを乾燥させて、フレークと鉄片とが分離しやすくなるようにすることができる。これにより、フレークから分離された比較的大きな鉄片を効率良く除去することができる。
【００４４】
また、本実施形態では、第２の粉砕機４の後段にも磁選機３を設け、第２の粉砕機４により細粉砕された壁紙のフレークを、送風機２及び吸引機６の風力によって磁選機３内を通過させるようにしている。これにより、第２の粉砕機４によってフレークを細粉砕する際に生じる摩擦熱と、フレークを運搬するための風力とによりフレークを乾燥させて、鉄片がフレークから分離しやすくなるようにすることができる。また、この段階では第１の粉砕機１と第２の粉砕機４との間で除去し切れなかった鉄片のみが除去の対象となるので、その殆どを除去することができる。従って、最終的には異物の混入していないリサイクルに適した細かいフレークを得ることができる。
【００４５】
なお、本実施形態では、送風機２が第１の粉砕機１と磁選機３との間に一つ設けられているが、これに限定されない。例えば、磁選機３と磁選機３との間に送風機２を設けても良いし、第２の粉砕機４の後段に設けても良い。
【００４６】
また、本実施形態では、第１の粉砕機１と第２の粉砕機４との間に二つの磁選機３を設け、第２の粉砕機４とサイクロン５との間に三つの磁選機３を設けているが、これに限定されない。
【００４７】
また、本実施形態では、塩ビ紙製の壁紙を使用しているが、これに限定されない。
【００４８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４９】
本発明は、リサイクル用の壁紙を粉砕してフレークを得るための粉砕システムに有用である。
【図面の簡単な説明】
【００５０】
【図１】本実施形態による壁紙用粉砕システムの構成例を示すブロック図である。
【図２】本実施形態による壁紙用粉砕システムに適用される第１の粉砕機の概略構成例を示す断面図である。
【図３】本実施形態による壁紙用粉砕システムに適用される第２の粉砕機の概略構成例を示す断面図である。
【図４】本実施形態による壁紙用粉砕システムに適用される磁選機の概略構成例を示す図である。
【図５】本実施形態による壁紙用粉砕システムに適用される磁選機のマグネット及び筒体を引き抜いた状態を示す図である。
【図６】一般的な塩化ビニル製の壁紙を示す断面図である。
【図７】本実施形態による壁紙用粉砕システムにて粉砕される塩ビ紙製の壁紙を示す断面図である。
【図８】壁紙の貼り付け方法を説明する図である。
【符号の説明】
【００５１】
１    第１の粉砕機
２    送風機
３    磁選機
４    第２の粉砕機
５    サイクロン
６    吸引機
７    集塵機
８    フィルター
９    連結部
【図１】
2005211888.tif 000003
【図２】
2005211888.tif 000004
【図３】
2005211888.tif 000005
【図４】
2005211888.tif 000006
【図５】
2005211888.tif 000007
【図６】
2005211888.tif 000008
【図７】
2005211888.tif 000009
【図８】
2005211888.tif 000010